(57)【要約】【課題】トランスとリアクトルとの両機能を同時に実現できる磁気部品を提供する。【解決手段】磁気部品１は、互いに磁気結合された第一コイル及び第二コイルと、閉磁路を形成するコア２と、を備える。第一コイル及び第二コイルのそれぞれの内周側の領域は、一部同士が互いにコイル軸方向に重なるよう配されている。コイル軸方向から見た状態において、コイル径方向における第一コイルの内周端縁から外周端縁までの領域を第一コイル領域４１とする。コイル軸方向から見た状態において、コイル径方向における第二コイルの内周端縁から外周端縁までの領域を第二コイル領域４２とする。第一コイル領域４１は、コイル径方向の内周端縁から外周端縁までにかけて、第二コイルとコイル軸方向に重ならない部分を有する。第二コイル領域４２は、コイル径方向の内周端縁から外周端縁までにかけて、第一コイルとコイル軸方向に重ならない部分を有する。【選択図】図３
2020194817.tif 000002
【特許請求の範囲】
【請求項１】
互いに磁気結合された複数のコイル（３１、３２、３３、３４）と、
閉磁路を形成するコア（２）と、を備え、
複数の前記コイルのそれぞれの内周側の領域は、少なくとも一部同士が互いにコイル軸方向（Ｚ）に重なるよう配されており、
コイル軸方向から見た状態において、複数の前記コイルの少なくとも１つである特定コイルのコイル径方向における内周端縁から外周端縁までの領域を特定コイル領域としたとき、前記特定コイル領域は、コイル径方向の内周端縁から外周端縁までにかけて、当該特定コイル領域を構成する前記特定コイル以外の少なくとも１つの前記コイルとコイル軸方向に重ならない部分を有する、磁気部品（１）。
【請求項２】
コイル軸方向から見た状態において、前記特定コイルの内周側に形成される、コイル軸方向に直交する面方向の各部の単位面積当たりの質量が同一の二次元図形の重心である特定重心と、当該特定コイル以外の少なくとも１つの前記コイルの内周側に形成される、コイル軸方向に直交する面方向の各部の単位面積当たりの質量が同一の二次元図形の重心とは、互いにずれた位置に配されている、請求項１に記載の磁気部品。
【請求項３】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）とを有し、
コイル軸方向から見た状態において、前記特定重心は、前記内脚部の存在領域に形成される、コイル軸方向に直交する面方向の各部の単位面積当たりの質量が同一の二次元図形の重心である内脚重心（ｃ０）に対して前記横方向の一方側に配されている、請求項２に記載の磁気部品。
【請求項４】
前記コアは、コイル軸方向に対向する一対の基部（２１）と、前記基部から延設されるとともにコイル軸方向から見たときに複数の前記コイルの内周側に配される内脚部（２２）と、を有し、
コイル軸方向から見た状態において、前記特定コイルは、
前記特定重心と、前記内脚部の存在領域に形成される、コイル軸方向に直交する面方向の各部の単位面積当たりの質量が同一の二次元図形の重心である内脚重心（ｃ０）との最短距離を偏心量ｒ［ｍｍ］とし、
その内周端縁と、前記特定重心及び前記内脚重心の双方を通る仮想直線（ＶＬ）との交点間の最短距離をＤ１［ｍｍ］とし、
前記内脚部の外周端縁と前記仮想直線との交点間の最短距離をＤ２［ｍｍ］とし、
（Ｄ１−Ｄ２）／２を可動長さＬと定義したとき、
前記可動長さＬに対する前記偏心量ｒの比率ｒ／Ｌは、ｒ／Ｌ≧０．２５、の関係を満たす、請求項２又は３に記載の磁気部品。
【請求項５】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）とを有し、
コイル軸方向から見た状態において、前記特定コイルの内周端縁は、前記特定重心と前記内脚部の存在領域に形成される、コイル軸方向に直交する面方向の各部の単位面積当たりの質量が同一の二次元図形の重心である内脚重心（ｃ０）との並び方向に形成されるとともに前記並び方向の直交方向に互いに対向する一対の第一直線縁（３ａ）と、一対の前記第一直線縁における、前記特定重心に対する前記内脚重心側である反偏心側の端部同士を前記直交方向に連結する第二直線縁（３ｂ）と、一対の前記第一直線縁における、前記並び方向における前記反偏心側の反対側である偏心側の端部同士を連結するとともに、前記偏心側に突出する突出縁（３ｃ）と、を有する請求項２〜４のいずれか一項に記載の磁気部品。
【請求項６】
複数の前記コイルは、流れる電力値が小さいものほど、コイル軸方向から見たときの長手方向の最長長さが長い、請求項１〜５のいずれか一項に記載の磁気部品。
【請求項７】
複数の前記コイルは、流れる電力値が小さいものほど、コイル軸方向から見たときの外形が大きい、請求項１〜６のいずれか一項に記載の磁気部品。
【請求項８】
複数の前記コイルは、同心コイルを備え、
前記コアは、コイル軸方向に対向する一対の基部（２１）と、前記基部から延設されるとともにコイル軸方向から見たときに複数の前記コイルの内周側に配される内脚部（２２）と、を有し、
コイル軸方向から見た状態において、前記同心コイルの内周側に形成される、コイル軸方向に直交する面方向の各部の単位面積当たりの質量が同一の二次元図形の重心は、前記内脚部の存在領域に形成される、コイル軸方向に直交する面方向の各部の単位面積当たりの質量が同一の二次元図形の重心である内脚重心（ｃ０）と同じ位置に配されており、
コイル軸方向から見た状態において、少なくとも１つの前記同心コイルは、その長手方向の長さが、前記特定コイルの長手方向の長さよりも長い、請求項１〜７のいずれか一項に記載の磁気部品。
【請求項９】
複数の前記同心コイルを備え、複数の前記同心コイルは、消費電力が小さいものほど、コイル軸方向から見たときの長手方向の最長長さが長い、請求項８に記載の磁気部品。
【請求項１０】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）と、を備え、
コイル軸方向における一対の前記基部の間であって、前記横方向における一対の前記外脚部の間には、空気よりも透磁率が高い磁束形成部（８）が配されている、請求項１〜９のいずれか一項に記載の磁気部品。
【請求項１１】
前記磁束形成部は、少なくとも１つの前記コイルにコイル径方向に重なる位置に配されている、請求項１０に記載の磁気部品。
【発明の詳細な説明】
【技術分野】
【０００１】
本発明は、磁気部品に関する。
【背景技術】
【０００２】
特許文献１には、磁気部品としてトランスリアクトル一体型磁気素子が開示されている。前記トランスリアクトル一体型磁気素子は、中央の脚部及び両端の脚部を備えるコアと、コアの両端の脚部のうちの一方に巻回される第１の１次側トランスコイルと、他方に巻回される第２の１次側トランスコイルと、出力側の２次側トランスコイルと、を備える。前記トランスリアクトル一体型磁気素子は、第１の一次側トランスコイルと第２の一次側トランスコイルとに対し、同相電流を供給することによってリアクトルとして機能する一方、逆相電流を供給することによってトランスとして機能する。
【先行技術文献】
【特許文献】
【０００３】
【特許文献１】特開２０１７−６０２８５号公報
【発明の概要】
【発明が解決しようとする課題】
【０００４】
前記トランスリアクトル一体型磁気素子においては、第１の一次側トランスコイルと第２の一次側トランスコイルとのそれぞれに供給する電流の位相を切り替えることで、トランスとして機能させるかリアクトルとして機能させるかを切り替えている。そのため、前記トランスリアクトル一体型磁気素子においては、トランスとリアクトルとの両機能を同時に発揮させることができず、改善の余地がある。
【０００５】
本発明は、かかる課題に鑑みてなされたものであり、トランスとリアクトルとの両機能を同時に実現できる磁気部品を提供しようとするものである。
【課題を解決するための手段】
【０００６】
本発明の一態様は、互いに磁気結合された複数のコイル（３１、３２、３３、３４）と、
閉磁路を形成するコア（２）と、を備え、
複数の前記コイルのそれぞれの内周側の領域は、少なくとも一部同士が互いにコイル軸方向（Ｚ）に重なるよう配されており、
コイル軸方向から見た状態において、複数の前記コイルの少なくとも１つである特定コイルのコイル径方向における内周端縁から外周端縁までの領域を特定コイル領域としたとき、前記特定コイル領域は、コイル径方向の内周端縁から外周端縁までにかけて、当該特定コイル領域を構成する前記特定コイル以外の少なくとも１つの前記コイルとコイル軸方向に重ならない部分を有する、磁気部品（１）にある。
【発明の効果】
【０００７】
前記態様の磁気部品において、複数のコイルは互いに磁気結合されている。それゆえ、複数のコイルは、トランスとして機能する。そして、前記特定コイル領域は、コイル径方向の内周端縁から外周端縁までにかけて、当該特定コイル領域を構成する特定コイル以外の少なくとも１つのコイルとコイル軸方向に重ならない部分を有する。これにより、当該部分の周りのみを流れる磁束を確保しやすい。それゆえ、磁気部品の漏れインダクタンスを確保しやすく、磁気部品においてリアクトルとしての機能を発揮させやすい。
【０００８】
以上のごとく、前記態様によれば、トランスとリアクトルとの両機能を同時に実現できる磁気部品を提供することができる。
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【０００９】
【図１】実施形態１における、コイル軸方向に平行な磁気部品の断面図。
【図２】図１の、II−II線矢視断面図。
【図３】図２と同断面図であって、コアと第一コイル領域と第二コイル領域とを表した図。
【図４】図２と同断面図であって、偏心量ｒと可動長さＬとを説明するための図。
【図５】実施形態１における、磁気部品を備えた双方向充電器の回路構成図。
【図６】図１と同断面図であって、形成される磁束を示した模式図。
【図７】参考形態における、互いに別体のトランス及びリアクトルを備えた回路の回路構成図。
【図８】参考形態における、（ａ）回路に流れる交流電流の電流値が最大となる時刻ｔ１を示すグラフ、（ｂ）時刻ｔ１にリアクトルに形成される磁束を示す模式断面図、（ｃ）時刻ｔ１にトランスに形成される磁束を示す模式断面図。
【図９】参考形態における、（ａ）回路に流れる交流電流の電流値が０となる時刻ｔ２を示すグラフ、（ｂ）時刻ｔ２にリアクトルに磁束が形成されていない旨を示す模式断面図、（ｃ）時刻ｔ２にトランスに形成される磁束を示す模式断面図。
【図１０】実験例における、比率ｒ／Ｌと、漏れインダクタンスとの関係を示すグラフ。
【図１１】実施形態２における、図２に対応する断面図。
【図１２】実施形態３における、図２に対応する断面図。
【図１３】実施形態４における、図２に対応する断面図。
【図１４】実施形態５における、コイル軸方向に平行な磁気部品の断面図。
【図１５】図１４の、XV−XV線矢視図。
【図１６】実施形態６における、図１５に対応する図。
【図１７】実施形態７における、図１５に対応する図。
【図１８】実施形態８における、コイル軸方向に平行な磁気部品の断面図。
【図１９】図１８のXIX−XIX線矢視図。
【図２０】実施形態９における、コイル軸方向に平行な磁気部品の断面図。
【図２１】実施形態１０における、コイル軸方向に平行な磁気部品の断面図。
【図２２】図２１の、XXII−XXII線矢視断面図。
【図２３】実施形態１１における、コイル軸方向に平行な磁気部品の断面図。
【図２４】図２３の、XXIV−XXIV線矢視断面図。
【図２５】実施形態１２における、コイル軸方向に平行な磁気部品の断面図。
【図２６】図２５の、XXVI−XXVI線矢視断面図。
【図２７】実施形態１３における、図２６に対応する図。
【図２８】実施形態１４における、コイル軸方向に平行な磁気部品の断面図。
【図２９】図２８の、XXIX−XXIX線矢視断面図において、コアと第一コイルと第二コイルと第三コイルとを表した図。
【図３０】図２９と同断面図であって、コアと第一コイル領域と第二コイル領域と第三コイル領域とを表した図。
【図３１】実施形態１５における、図１１に対応する断面図。
【図３２】実施形態１６における、コイル軸方向に平行な磁気部品の断面図。
【図３３】図３２における、XXXIII−XXXIII線矢視断面図において、コアと第一コイルと第二コイルと第三コイルとを表した図。
【図３４】図３３と同断面図であって、コアと第一コイル領域と第二コイル領域と第三コイル領域とを表した図。
【図３５】実施形態１７における、コイル軸方向に平行な磁気部品の断面図。
【図３６】図３５における、XXXVI−XXXVI線矢視断面図において、コアと第一コイルと第二コイルと第三コイルとを表した図。
【図３７】図３６と同断面図であって、コアと第一コイル領域と第二コイル領域と第三コイル領域とを表した図。
【図３８】実施形態１８における、コイル軸方向に平行な磁気部品の断面図。
【図３９】図３８の、XXXIX−XXXIX線矢視断面図において、コアと第一コイルと第二コイルと第三コイルと第四コイルとを表した図。
【図４０】図３９と同断面図であって、コアと第一コイル領域と第二コイル領域と第三コイル領域と第四コイル領域とを表した図。
【図４１】変形形態における、図１１に対応する断面図。
【発明を実施するための形態】
【００１０】
（実施形態１）
磁気部品の実施形態につき、図１〜図６を用いて説明する。
本形態の磁気部品１は、図１、図２に示すごとく、互いに磁気結合された複数のコイルと、閉磁路を形成するコア２と、を備える。
【００１１】
複数のコイルのそれぞれの内周側の領域は、少なくとも一部同士が互いにコイル軸方向Ｚに重なるよう配されている。コイル軸方向Ｚから見た状態において、複数のコイルの少なくとも１つである特定コイルのコイル径方向における内周端縁から外周端縁までの領域を特定コイル領域とする。このとき、特定コイル領域は、コイル径方向の内周端縁から外周端縁までにかけて、当該特定コイル領域を構成する特定コイル以外の少なくとも１つのコイルとコイル軸方向Ｚに重ならない部分を有する。
【００１２】
図１、図２に示すごとく、本形態において、磁気部品１は、第一コイル３１及び第二コイル３２の２つのコイルを有する。図３に示すごとく、コイル軸方向Ｚから見た状態において、コイル径方向における第一コイル３１の内周端縁から外周端縁までの領域を第一コイル領域４１とする。また、コイル軸方向Ｚから見た状態において、コイル径方向における第二コイル３２の内周端縁から外周端縁までの領域を第二コイル領域４２とする。なお、図３において、第一コイル領域４１と第二コイル領域４２とに、便宜的にハッチングを施している。
【００１３】
そして、本形態においては、第一コイル３１と第二コイル３２とのそれぞれが特定コイルを構成しており、第一コイル領域４１と第二コイル領域４２とのそれぞれが特定コイル領域を構成している。すなわち、第一コイル領域４１は、コイル径方向の内周端縁から外周端縁までにかけて、第二コイル３２とコイル軸方向Ｚに重ならない部分を有するとともに、第二コイル領域４２は、コイル径方向の内周端縁から外周端縁までにかけて、第一コイル３１とコイル軸方向Ｚに重ならない部分を有する。
以後、本形態につき詳説する。
【００１４】
なお、本明細書において、コイル軸方向Ｚは、第一コイル３１の巻回軸が延在する方向を意味する。また、コイル軸方向Ｚに直交する一方向を横方向Ｘという。横方向Ｘは、コア２の後述の一対の外脚部２３が並ぶ方向である。また、コイル軸方向Ｚと横方向Ｘとの双方に直交する方向を縦方向Ｙという。
【００１５】
コア２は、フェライト等の磁性体をからなる。図１に示すごとく、コア２は、コイル軸方向Ｚの両側にそれぞれ配される一対の分割コア２０を組み合わせてなる。本形態において、一対の分割コア２０は、互いに同様の形状を有する。分割コア２０は、基部２１と、基部２１から延設される内脚部２２及び一対の外脚部２３とを有する。
【００１６】
基部２１は、コイル軸方向Ｚに直交する面上に形成されている。図３に示すごとく、基部２１は、横方向Ｘに長尺であり、コイル軸方向Ｚに厚みを有する長方形板状に形成されている。図１に示すごとく、一対の分割コア２０は、それぞれの基部２１を互いにコイル軸方向Ｚに対向させている。
【００１７】
各分割コア２０の内脚部２２及び一対の外脚部２３は、各分割コア２０の基部２１から、コイル軸方向Ｚにおける相手方の分割コア２０側に向かって突出している。
【００１８】
図２に示すごとく、内脚部２２は、コイル軸方向Ｚに直交する断面形状が円形となる円柱状を呈している。内脚部２２は、横方向Ｘと縦方向Ｙとの双方における基部２１の中央に形成されている。
【００１９】
内脚部２２は、第一コイル３１及び第二コイル３２の内周側に配されている。内脚部２２は、コイル軸方向Ｚから見たときに第一コイル３１及び第二コイル３２の双方の内周側に位置するよう形成されている。内脚部２２は、第一コイル３１及び第二コイル３２の双方に対して、コイル軸方向Ｚに重ならない位置に配されている。
【００２０】
図２に示すごとく、外脚部２３は、コイル軸方向Ｚに直交する断面形状が、縦方向Ｙに長尺、横方向Ｘに短尺な長方形状を呈している。一対の外脚部２３は、横方向Ｘにおける基部２１の両端に形成されている。外脚部２３は、基部２１の縦方向Ｙの全体から突出している。一対の外脚部２３は、横方向Ｘにおける第一コイル３１及び第二コイル３２の両外側に形成されている。
【００２１】
図１に示すごとく、各分割コア２０は、内脚部２２における基部２１と反対側の面、及び外脚部２３における基部２１と反対側の面を互いに向かい合わせるよう配されている。そして、コイル軸方向Ｚの一対の基部２１の間であって、横方向Ｘにおける一対の外脚部２３の間の領域に、第一コイル３１を備えるプリント配線基板３と第二コイル３２を備えるプリント配線基板３とが配されている。
【００２２】
プリント配線基板３は、コイル軸方向Ｚに厚みを有し、互いにコイル軸方向Ｚに重なるよう配されている。これに伴い、第一コイル３１及び第二コイル３２は、コイル軸方向Ｚの異なる位置に形成されている。プリント配線基板３は、その中央部にコイル軸方向Ｚに貫通する穴部３５を有し、穴部３５の内側にコア２の内脚部２２を挿入させている。
【００２３】
プリント配線基板３は、例えば多層基板で構成されている。一方のプリント配線基板３の導体パターンにより、第一コイル３１が構成されており、他方のプリント配線基板３の導体パターンより、第二コイル３２が構成されている。各プリント配線基板３において、導体パターンは、コイル軸方向Ｚの３か所の導体層に形成されている。
【００２４】
図２に示すごとく、第一コイル３１は、各導体層において互いに同様の形状を有している。第一コイル３１は、各導体層において、２重の渦巻状に形成されている。すなわち、第一コイル３１は、各導体層において、内周に位置する内周導体部３１１とその外周側に位置する外周導体部３１２とを有する。
【００２５】
本形態において、第一コイル３１の内周導体部３１１と外周導体部３１２とは、略相似形状である。第一コイル３１の内周導体部３１１と外周導体部３１２とのそれぞれは、横方向Ｘに長尺で、横方向Ｘの両側に位置する辺が円弧状に形成された角丸長方形状（すなわちレーストラック形状）を呈している。
【００２６】
なお、第一コイル３１の端部には第一コイル３１を外部と電気接続させるための引出パターン部１１が接続しているが、本明細書において第一コイル３１といったときは、この引出パターン部１１を含まないコイル状の部分を意味するものとする。
【００２７】
図１に示すごとく、第一コイル３１の各導電層の部位は、互いにコイル軸方向Ｚに重なるよう形成されている。第一コイル３１において、異なる導体層同士は、プリント配線基板３に形成されたビア３０によって電気的に接続されている。第一コイル３１は、各導体層において流れるコイル周方向の電流の向きが互いに同じ向きとなるよう構成されている。
【００２８】
ここで、コイル軸方向Ｚから見た状態において、第一コイル３１の内周側に形成される二次元図形の重心を第一重心ｃ１と定義する。当該二次元図形は、図３における第一コイル領域４１に囲まれた領域であり、第一コイル領域４１の内周面に沿った角丸長方形状を呈している。また、コイル軸方向Ｚから見たときの内脚部２２の存在領域（すなわち、図２の内脚部２２のハッチング領域）に形成される二次元図形の重心を内脚重心ｃ０と定義する。なお、重心を特定するために定義する二次元図形は、コイル軸方向Ｚに直交する面方向における質量分布が一様とする。すなわち、二次元図形は、コイル軸方向Ｚに直交する面方向の各部の単位面積当たりの質量が互いに同一である。
【００２９】
このとき、コイル軸方向Ｚから見た状態において、図３に示すごとく、第一重心ｃ１は、内脚重心ｃ０に対して、横方向Ｘの一方側に配されている。以後、横方向Ｘにおける内脚重心ｃ０に対する第一重心ｃ１側をＸ１側といい、横方向ＸのＸ１側と反対側をＸ２側という。第一コイル３１の内周端縁は、Ｘ２の部位が内脚部２２からＸ２側に比較的大きく離れた位置に配される一方、Ｘ１側の部位が内脚部２２に比較的近接して配される。
【００３０】
また、コイル軸方向Ｚから見た状態において、図４に示すごとく、第一重心ｃ１と内脚重心ｃ０との最短距離を偏心量ｒ［ｍｍ］とする。また、コイル軸方向Ｚから見た状態において、第一コイル３１の内周端縁と、第一重心ｃ１及び内脚重心ｃ０を通る仮想直線ＶＬとの交点間の最短距離Ｄ１［ｍｍ］とする。また、コイル軸方向Ｚから見た状態において、内脚部２２の外周端縁と仮想直線ＶＬとの交点間の距離をＤ２［ｍｍ］とする。また、可動長さＬを、Ｌ＝（Ｄ１−Ｄ２）／２、で定義する。このとき、可動長さＬに対する偏心量ｒの比率ｒ／Ｌは、ｒ／Ｌ≧０．２５、の関係を満たす。
【００３１】
可動長さＬ＝（Ｄ１−Ｄ２）／２は、図４に示すごとく、第一コイル３１と内脚部２２とが互いに偏心していない状態（第一重心ｃ１と内脚重心ｃ０とが同位置にある状態）を想定した場合における、横方向Ｘの内脚部２２と第一コイル３１との最短距離を意味する。なお、図４において、内脚部２２に対して偏心していない場合を想定した第一コイルの輪郭を、二点鎖線で表している。そして、比率ｒ／Ｌは、内脚部２２に対する第一コイル３１の偏心度合いを意味する。
【００３２】
なお、ｒ＝Ｌの状態は、第一コイル３１の内周端縁が内脚部２２に当接している状態であるため、幾何学的にｒの最大値はＬとなる。また、これに伴い、ｒ／Ｌの最大値は１となる。
【００３３】
図２に示すごとく、第二コイル３２は、第一コイル３１と同じ形状で、かつ、第一コイル３１に対してコイル周方向に１８０°回転した姿勢で配されている。第二コイル３２において、第一コイル３１と同様の形状については説明を省略する。また、第二コイル３２の各部の名称として、同様の構成を有する第一コイル３１の各部の名称と同一の名称を用いる。
【００３４】
コイル軸方向Ｚから見た状態において、第二コイル３２の内周側に形成される二次元図形の重心を第二重心ｃ２と定義する。当該二次元図形は、図３における第二コイル領域４２に囲まれた領域であり、第二コイル領域４２の内周面に沿った角丸長方形状を呈している。当該二次元図形は、コイル軸方向Ｚに直交する面方向における質量分布が一様である。すなわち、当該二次元図形は、コイル軸方向Ｚに直交する面方向の各部の単位面積当たりの質量が互いに同一である。コイル軸方向Ｚから見た状態において、第二重心ｃ２は、内脚重心ｃ０に対してＸ２側に偏心している。これにより、第二コイル３２の内周端縁は、Ｘ２側の部位が内脚部２２から比較的大きく離れた位置に配される一方、Ｘ１側の部位が内脚部２２に近接して配される。
【００３５】
また、第二重心ｃ２は、第一重心ｃ１のＸ２側に離れた位置に配されている。そして、第一重心ｃ１と第二重心ｃ２とは、互いにずれた位置に配されている。本形態において、第一重心ｃ１と第二重心ｃ２とは、内脚重心ｃ０に対して互いに横方向Ｘの反対側に配されている。
【００３６】
また、第二コイル３２についても、第一コイル３１と同様に、前述の比率ｒ／Ｌが、ｒ／Ｌ≧０．２５を満たす。
【００３７】
図３に示すごとく、第一コイル領域４１と第二コイル領域４２とのそれぞれは、角丸長方形状（すなわちレーストラック形状）を有する。第一コイル領域４１と第二コイル領域４２とのそれぞれは、コイル径方向の内周端縁から外周端縁までにかけて、相手方とコイル軸方向Ｚに重ならない部分を有する。
【００３８】
また、コイル軸方向Ｚから見た状態において、第一コイル領域４１は、第二コイル領域４２からＸ１側に突出した第一はみ出領域４１１を有し、第二コイル領域４２は、第一コイル領域４１からＸ２側に突出した第二はみ出領域４２１を有する。
【００３９】
また、本形態において、コイル軸方向Ｚから見たときの特定コイル（すなわち第一コイル３１又は第二コイル３２）の外周縁から内周側の領域の面積をコイル面積Ａとする。また、コイル軸方向Ｚから見たときの第一コイル３１の外周縁から内周側の領域と第二コイル３２の外周縁から内周側の領域とが互いにコイル軸方向Ｚに重なる領域の面積を重なり面積Ｂとする。このとき、第一コイル３１及び第二コイル３２のそれぞれに関するコイル面積Ａと重なり面積Ｂとは、Ｂ／Ａ≦０．９を満たす。Ｂ／Ａが小さい程、第一コイル３１と第二コイル３２とのコイル軸方向Ｚの重なり領域が狭いことを意味する。Ｂ／Ａが小さい程、漏れインダクタンスを確保しやすい。
【００４０】
次に、本形態の磁気部品１の用途について説明する。
【００４１】
本形態の磁気部品１は、例えば車載用の双方向充電器５の一部を構成するものとすることができる。双方向充電器５は、磁気部品１と、磁気部品１の第一コイル３１に接続される第一回路と、磁気部品１の第二コイル３２に接続される第二回路とを備える。図５においては、磁気部品１の第一コイル３１の周囲に形成される漏れインダクタンスをＬ１、第二コイル３２の周囲に形成される漏れインダクタンスをＬ２で表している。磁気部品１の第一コイル３１は、第一回路を介して交流電源６に接続され、第二コイル３２は、第二回路を介してバッテリ７に接続される。
【００４２】
交流電源６は、バッテリ７に車両の外部から電力供給するための電源供給部の一種である。交流電源６としては、例えば、給電ステーション等の交流式充電器が想定される。
【００４３】
交流電源６は、第一回路を構成するＡＣ−ＤＣコンバータ５１１と第一スイッチング回路５１２とを介して第一コイル３１に接続される。ＡＣ−ＤＣコンバータ５１１は、交流電源６の交流電力を直流電力に変換して第一スイッチング回路５１２側に出力する。第一スイッチング回路５１２は、ＡＣ−ＤＣコンバータ５１１から入力される電流を矩形波電流に変換して第一コイル３１側に出力する。
【００４４】
さらに、第一スイッチング回路５１２は、第一コイル３１側から入力される矩形波電流を直流電流に変換してＡＣ−ＤＣコンバータ５１１に出力できるようにも構成されている。そして、ＡＣ−ＤＣコンバータ５１１は、第一スイッチング回路５１２側から入力される直流電力を交流電力に変換して交流電源６側に出力することもできるようにも構成されている。
【００４５】
また、バッテリ７は、第二回路を構成する第二スイッチング回路５２１を介して第二コイル３２に接続される。第二スイッチング回路５２１は、第二コイル３２側から入力される矩形波電流を直流電流に変換してバッテリ７側に出力する。さらに、第二スイッチング回路５２１は、バッテリ７側から入力される直流電流を矩形波電流に変換して第二コイル３２側に出力することもできるようにも構成されている。
【００４６】
双方向充電器５は、交流電源６の電圧をトランスにおいて変圧してバッテリ７側に出力することでバッテリ７の充電をしたり、これとは逆に、バッテリ７の電圧をトランスにおいて変圧して交流電源６側に出力することで交流電源６を充電したりする。
以上のような用途に、本形態の磁気部品１を用いることができる。
【００４７】
次に、本形態の作用効果につき説明する。
本形態の磁気部品１において、第一コイル３１と第二コイル３２とは互いに磁気結合している。それゆえ、図６に示すごとく、第一コイル３１及び第二コイル３２の双方の内周側を通過する磁束Φ１が生じ、第一コイル３１及び第二コイル３２は、トランスとして機能する。
【００４８】
そして、第一コイル領域４１は、コイル径方向の内周端縁から外周端縁までにかけて、第二コイル３２とコイル軸方向Ｚに重ならない部分を有するとともに、第二コイル領域４２は、コイル径方向の内周端縁から外周端縁までにかけて、第一コイル３１とコイル軸方向Ｚに重ならない部分を有する。これにより、図６に示すごとく、当該部分の周りのみを流れて相手方のコイルと磁気的に結合しない漏れ磁束Φ２を確保しやすく、磁気部品１の漏れインダクタンスを確保しやすい。それゆえ、当該部分においてリアクトルとしての機能を発揮させやすい。
【００４９】
また、本形態においては、第一コイル領域４１における第二コイル領域４２よりもＸ１側に突出する第一はみ出領域４１１と、第二コイル領域４２における第一コイル領域４１よりもＸ２側に突出する第二はみ出領域４２１とが形成されている。それゆえ、第一はみ出領域４１１と第二はみ出領域４２１とのそれぞれは、相手方から比較的大きく離れている。そのため、図６に示すごとく、第一はみ出領域４１１及び第二はみ出領域４２１の周囲に漏れ磁束Φ２が形成されやすい。それゆえ、磁気部品１において、漏れインダクタンスを確保しやすく、リアクトルとしての機能を発揮させやすい。
【００５０】
また、コイル軸方向Ｚから見た状態において、第一重心ｃ１と第二重心ｃ２とは、互いにずれた位置に配されている。すなわち、第一コイル３１と第二コイル３２とは互いに偏心している。それゆえ、コイル軸方向Ｚから見たとき、第一コイル領域４１の第一はみ出領域４１１を第二コイル領域４２から大きく突出させやすいとともに、第二はみ出領域４２１を第一コイル領域４１から大きく突出させやすい。それゆえ、第一はみ出領域４１１及び第二はみ出領域４２１の周囲に、一層漏れ磁束を形成しやすい。それゆえ、磁気部品１において、漏れインダクタンスを確保しやすく、リアクトルとしての機能を発揮させやすい。
【００５１】
また、第一コイル３１と第二コイル３２とが互いに偏心していることに加え、コア２は、第一コイル３１の内周側及び第二コイル３２の内周側に配された内脚部２２と、横方向Ｘにおける第一コイル３１及び第二コイル３２の両外側に配された一対の外脚部２３とを有する。さらに、コイル軸方向Ｚから見た状態において、第一重心ｃ１及び第二重心ｃ２のそれぞれは、内脚重心ｃ０に対して横方向Ｘにずれた位置に配されている。それゆえ、第一コイル３１及び第二コイル３２のそれぞれにおける内脚部２２から遠い側の近傍に外脚部２３が配される。これにより、第一はみ出領域４１１及び第二はみ出領域４２１の周囲に形成される漏れ磁束を、外脚部２３を通るよう形成することができる。これによっても、磁気部品１において、漏れインダクタンスを確保しやすく、リアクトルとしての機能を発揮させやすい。
【００５２】
また、第一コイル３１及び第二コイル３２の双方に関し、可動長さＬに対する偏心量ｒの比率ｒ／Ｌは、ｒ／Ｌ≧０．２５、を満たす。つまり、第一コイル３１及び第二コイル３２のそれぞれは、ある程度大きい（すなわちｒ／Ｌ≧０．２５）偏心度合いを有する。それゆえ、第一はみ出領域４１１及び第二はみ出領域４２１のそれぞれの部位を、相手方のコイルから離しやすく、かかる領域において漏れインダクタンスを確保しやすい。なお、本数値に関しては、後述の実験例によって裏付けられる。
【００５３】
以上のごとく、本形態によれば、トランスとリアクトルとの両機能を同時に実現できる磁気部品を提供することができる。
【００５４】
（参考形態）
本形態においては、図７〜図９に示すごとく、互いに別体のトランス９１とリアクトル９２とを備える回路において、トランス９１の一次コイル９１１（すなわち入力側のコイル）とリアクトルコイル９２１とに互いに同位相の電流を流したときに生じる磁束の様子をシミュレーションした。特に、トランス９１の一次コイル９１１及びリアクトルコイル９２１の電流値が、最大となるときと、０となるときとの双方において、トランス９１及びリアクトル９２のそれぞれに生じる磁束の様子を調べた。
【００５５】
図７に示すごとく、リアクトル９２は、矩形環状のリアクトルコア９２２と、リアクトルコア９２２の１辺に巻回されたリアクトルコイル９２１とを備える。リアクトルコア９２２は、その周方向の一部にギャップを有する。リアクトル９２は、リアクトルコイル９２１に通電することにより、電流を平滑化する機能を有する。リアクトルコイル９２１は、トランス９１の一次コイル９１１に接続されている。
【００５６】
トランス９１は、トランスコア９１３と一次コイル９１１と二次コイル９１２とを有する。トランスコア９１３は、実施形態１で示したコア２と同様であり、トランスコア９１３の各部の名称として、実施形態１のコア２の各部の名称と同一の名称を用いる。トランスコア９１３の内脚部２２に入力側の一次コイル９１１、及び出力側の二次コイル９１２が同軸状に巻回されている。一次コイル９１１及び二次コイル９１２は、互いに偏心しておらず、全周において、互いにコイル軸方向Ｚに重なる位置に形成されている。
【００５７】
そして、リアクトルコイル９２１及びトランス９１の一次コイル９１１に交流電流を流した場合において、リアクトルコイル９２１及び一次コイル９１１の電流値が、最大となるときと、０となるときとに、トランス９１及びリアクトル９２のそれぞれに生じる磁束の様子をシミュレーションした。その結果を、図８と図９とに模式的に示した。
【００５８】
図８においては、各リアクトルコイル９２１及びトランス９１の一次コイル９１１に流れる電流値が最大値となる時刻ｔ１において、リアクトル９２及びトランス９１に生じる磁束をシミュレーションした結果を模式的に示している。図８から、電流値が最大値となる時刻ｔ１において、リアクトル９２に関しては、リアクトルコア９２２に環状に磁束Φ１１が流れている。一方で、時刻ｔ１において、トランス９１に関しては、トランスコア９１３に磁束は形成され難い一方、第一コイル３１及び第二コイル３２周囲の空間に漏れ磁束Φ２１が形成されやすいことが分かる
【００５９】
図９においては、各リアクトルコイル９２１及びトランス９１の一次コイル９１１に流れる電流値が０となる時刻ｔ２において、リアクトル９２及びトランス９１に生じる磁束をシミュレーションした結果を模式的に示している。図９から、電流値が０となる時刻ｔ２において、リアクトル９２に関しては、磁束は形成され難い。一方で、トランス９１においては、トランスコア９１３に磁束Φ２２が形成されやすい一方、第一コイル３１及び第二コイル３２周囲の空間には磁束が形成され難い。
【００６０】
つまり、リアクトルコイル９２１とトランス９１の一次コイル９１１とに交流電流を流した場合において、リアクトルコア９２２に磁束が形成されるタイミングと、トランス９１の一次コイル９１１及び二次コイル９１２の周囲の空間に漏れ磁束が形成されるタイミングとは一致することが分かった。
【００６１】
そこで、実施形態１の磁気部品１ように、第一コイル３１及び第二コイル３２を互いに偏心させて、図６に示すごとく、磁気部品１に積極的に漏れ磁束Φ２を形成している。これにより、磁気部品１において、コア２に形成されるとともに第一コイル３１及び第二コイル３２の双方の内周側を通る磁束Φ１と、第一コイル３１の周囲のみ、及び第二コイル３２の周囲のみに形成される漏れ磁束Φ２とを同時に形成することができる。これにより、磁気部品１において、トランスの機能とリアクトルの機能とを同時に発揮させやすい。そのため、実施形態１の磁気部品１においては、一部品に、トランスとリアクトルとの双方の機能を付与しやすいことが分かる。
【００６２】
（実験例）
本例は、基本構成を実施形態１と同様とする磁気部品１において、内脚部２２に対する第一コイル３１及び第二コイル３２の偏心度合いを種々変化させたときの漏れインダクタンスをシミュレーションにて評価した例である。
【００６３】
本例においては、基本構造を実施形態１と同様とする磁気部品１において、第一コイル３１及び第二コイル３２の偏心量ｒを種々変更することによって比率ｒ／Ｌを種々変更し、漏れインダクタンスを評価した。本例においては、比率ｒ／Ｌが互いに異なる６つの磁気部品１を想定した。なお、各磁気部品１においては、第一コイル３１に関する比率ｒ／Ｌと第二コイル３２に関する比率ｒ／Ｌとを互いに同値とした。
【００６４】
６つの磁気部品１のうちの１つは、第一コイル３１に関する比率ｒ／Ｌと第二コイル３２に関する比率ｒ／Ｌとのそれぞれが０である。これは、第一コイル３１及び第二コイル３２のいずれについても偏心量ｒが０となる磁気部品１である。また、６つの磁気部品１のうちの他の１つは、第一コイル３１に関する比率ｒ／Ｌと第二コイル３２に関する比率ｒ／Ｌとのそれぞれが１である。これは、第一コイル３１のＸ２側端部が内脚部２２のＸ２側端部に当接し、第二コイル３２のＸ１側端部が内脚部２２のＸ１側端部に当接している磁気部品１である。
【００６５】
６つの磁気部品１のそれぞれにつき、漏れインダクタンスを評価した。その結果を図１０に示す。
【００６６】
図１０から分かるように、比率ｒ／Ｌを大きくすればするほど、漏れインダクタンスを確保しやすいことが分かる。そして、比率ｒ／Ｌの値が０．２５以上となると、急激に漏れインダクタンスが上昇することが分かる。それゆえ、比率ｒ／Ｌを０．２５以上とすることにより、漏れインダクタンスを確保しやすく、磁気部品１におけるリアクトルとしての機能を発揮させやすい。
【００６７】
（実施形態２）
本形態は、図１１に示すごとく、実施形態１と基本構造を同様としつつ、第一コイル３１及び第二コイル３２の形状を変更した形態である。
【００６８】
コイル軸方向Ｚから見たとき、第一コイル領域４１及び第二コイル領域４２のそれぞれは、Ｄ字状に形成されている。すなわち、第一コイル領域４１及び第二コイル領域４２のそれぞれは、一対の第一直線領域４０１と第二直線領域４０２と突出領域４０３とを備える。
【００６９】
第一コイル領域４１と第二コイル領域４２とのそれぞれの一対の第一直線領域４０１は、横方向Ｘに沿って形成されるとともに互いに縦方向Ｙに対向するよう形成されている。
【００７０】
第一コイル領域４１において、第二直線領域４０２は、一対の第一直線領域４０１のＸ２側端部同士を、縦方向Ｙにまっすぐ連結している。これにより、第一コイル領域４１の一対の第一直線領域４０１及び第二直線領域４０２は、角が直角で、Ｘ１側に開口するＵ字状を呈している。
【００７１】
第一コイル領域４１において、突出領域４０３は、一対の第一直線領域４０１のＸ１側端部同士を連結するとともに、Ｘ１側に突出するよう形成されている。第一コイル領域４１の突出領域４０３は、Ｘ１側に膨らむ円弧状を呈している。
【００７２】
これに伴い、コイル軸方向Ｚから見た状態において、第一コイル３１の内周端縁もＤ字状に形成される。コイル軸方向Ｚから見た状態において、第一コイル３１の内周端縁は、一対の第一直線縁３ａと第二直線縁３ｂと突出縁３ｃとを有する。一対の第一直線縁３ａは、第一コイル領域４１における一対の第一直線領域４０１の内側の縁である。一対の第一直線縁３ａは、横方向Ｘに沿って形成されるとともに縦方向Ｙに互いに対向している。
【００７３】
第二直線縁３ｂは、第一コイル領域４１における第二直線領域４０２のＸ１側の縁である。第二直線縁３ｂは、一対の第一直線縁３ａにおけるＸ２側の端部同士を縦方向Ｙに連結する。これにより、一対の第一直線縁３ａ及び第二直線縁３ｂは、角が直角でＸ１側に開口するＵ字状を呈している。
【００７４】
突出縁３ｃは、第一コイル領域４１における突出領域４０３のＸ２側の縁である。突出縁３ｃは、一対の第一直線縁３ａにおける、Ｘ１側の端部同士を連結するとともに、Ｘ１側に突出するよう形成されている。突出縁３ｃは、Ｘ１側に膨らむ円弧状を呈している。突出縁３ｃは、内脚部２２のＸ１側の面に沿うよう曲線状に形成されている。
【００７５】
第一直線縁３ａ及び第二直線縁３ｂは、いずれも内脚部２２に比較的近接した位置に形成されている一方、突出縁３ｃは、内脚部２２からＸ１側に比較的離れた位置に配されている。
【００７６】
第二コイル領域４２は、第一コイル領域４１に対して横方向Ｘに略対称な形状を有する。本形態においても、第二コイル３２の各部の名称として、同様の構成を有する第一コイル３１の各部の名称と同一の名称を用いる。
【００７７】
第二コイル３２において、第二直線縁３ｂは、第一直線縁３ａのＸ１側の端部同士を縦方向Ｙに連結しており、第二コイル３２の突出縁３ｃは、第一直線縁３ａのＸ２側端部からＸ２側に膨らむ円弧状に形成されている。第二コイル３２の突出縁３ｃは、内脚部２２のＸ２側の面に沿うよう曲線状に形成されている。第二コイル３２に関し、第一直線縁３ａ及び第二直線縁３ｂは、いずれも内脚部２２に比較的近接した位置に形成されている一方、突出縁３ｃは、内脚部２２からＸ２側に比較的離れた位置に配されている。
【００７８】
第一コイル領域４１の第一直線領域４０１と、第二コイル領域４２の第一直線領域４０１とは、互いにコイル軸方向Ｚに重なる位置に形成されている。
【００７９】
その他は、実施形態１と同様である。
なお、実施形態２以降において用いた符号のうち、既出の実施形態において用いた符号と同一のものは、特に示さない限り、既出の実施形態におけるものと同様の構成要素等を表す。
【００８０】
次に、本形態の作用効果につき説明する。
コイル軸方向Ｚから見た状態において、第一コイル３１及び第二コイル３２のそれぞれにおける、内脚部２２に対して偏心する側と反対側の領域に、直線状の第一直線縁３ａ及び第二直線縁３ｂが形成されている。それゆえ、第一コイル３１及び第二コイル３２のそれぞれにおける、第一直線縁３ａ及び第二直線縁３ｂを構成する部位を、相手方のコイルとコイル軸方向Ｚに重ねやすい。それゆえ、第一コイル３１及び第二コイル３２における第一直線縁３ａ及び第二直線縁３ｂを構成する部位において相手方コイルとの磁気的な結合を確保しやすい。一方、かかる部位が例えば円形、楕円形等の湾曲した形状である場合、相手方のコイルとコイル軸方向Ｚに重ね難く、第一コイル３１と第二コイル３２との磁気結合を図りにくい。
【００８１】
そして、第一コイル３１及び第二コイル３２のそれぞれにおける、内脚部２２に対して偏心する側の領域に、前述の突出縁３ｃを有する。それゆえ、第一コイル３１及び第二コイル３２の発熱を効果的に抑制しやすい。すなわち、第一コイル３１及び第二コイル３２のそれぞれにおける、内脚部２２に対して偏心する側の部位は、相手方のコイルよりも横方向Ｘに突出していて周囲に漏れ磁束が形成されやすく、近接効果により発熱が大きくなりやすい。そのため、第一コイル３１及び第二コイル３２のそれぞれにおける、内脚部２２に対して偏心する側の部位の内周端縁を、本形態の突出縁３ｃのような突出形状にすることにより、突出縁３ｃを構成する部位を相手方のコイルから遠ざけて漏れインダクタンスを確保しつつ、かかる部位の長さを短くしやすい。これにより、第一コイル３１及び第二コイル３２の発熱を抑制することができる。
その他、実施形態１と同様の作用効果を有する。
【００８２】
（実施形態３）
本形態は、図１２に示すごとく、基本構造を実施形態２と同様としつつ、第一コイル３１及び第二コイル３２のそれぞれの各導体層における外周導体部３１２の形状を変更した実施形態である。
【００８３】
コイル軸方向Ｚから見た状態において、第一コイル３１の内周導体部３１１及び第二コイル３２の内周導体部３１１のそれぞれは、実施形態２と同様なＤ字状を呈している。一方、第一コイル３１の外周導体部３１２及び第二コイル３２の外周導体部３１２は、横方向Ｘにやや長尺な長方形状に形成されている。
その他は、実施形態２と同様である。
【００８４】
本形態においても、実施形態２と同様の作用効果を有する。
【００８５】
（実施形態４）
本形態は、図１３に示すごとく、基本構造を実施形態２と同様としつつ、第一コイル領域４１及び第二コイル領域４２の形状を変更した実施形態である。
【００８６】
コイル軸方向Ｚから見た状態において、第一コイル領域４１及び第二コイル領域４２のそれぞれの突出領域４０３は、くの字状（ドッグレッグ形状）に形成されている。すなわち、第一コイル領域４１及び第二コイル領域４２のそれぞれにおいて、突出領域４０３は、一対の第一直線領域４０１から横方向Ｘに遠ざかるほど、縦方向Ｙに幅狭となるくの字状の２つの辺からなる。
その他は、実施形態２と同様である。
【００８７】
本形態においても、実施形態２と同様の作用効果を有する。
【００８８】
（実施形態５）
本形態は、図１４、図１５に示すごとく、実施形態１に対して、コア２の形状を変更した実施形態である。
【００８９】
図１４に示すごとく、本形態において、コア２は、基部２１と内脚部２２と外脚部２３に加え、磁束形成部８を更に備える。磁束形成部８は、横方向Ｘにおける内脚部２２の外側であって、かつ、横方向Ｘにおける一対の外脚部２３の内側に形成されている。磁束形成部８は、空気よりも透磁率が高い材料からなる。
【００９０】
本形態において、磁束形成部８は、各分割コア２０において、基部２１からコイル軸方向Ｚにおける内脚部２２と外脚部２３とが突出する側と同じ側に突出するよう形成されている。各分割コア２０は、基部２１、内脚部２２、外脚部２３、及び磁束形成部８を一体的に有する。
【００９１】
図１４に示すごとく、第一コイル３１の内側に挿入された内脚部２２を備える分割コア２０である第一分割コア２０１は、第一コイル３１のＸ２側に、磁束形成部８を有する。第一分割コア２０１の磁束形成部８は、第一分割コア２０１におけるＸ２側の外脚部２３に隣接するよう形成されている。第一分割コア２０１の磁束形成部８は、第一分割コア２０１の基部２１及びＸ２側の外脚部２３の双方に連結するよう形成されている。また、縦方向Ｙにおいて、第一分割コア２０１の磁束形成部８は、第一分割コア２０１の基部２１の略全体の領域に形成されている。
【００９２】
第一分割コア２０１の磁束形成部８は、コイル軸方向Ｚにおいて、第二コイル領域４２における第一コイル領域４１よりもＸ２側に突出する第二はみ出領域４２１に重なる位置に形成されている。
【００９３】
また、第一分割コア２０１の磁束形成部８のコイル軸方向Ｚの長さは、第一分割コア２０１の外脚部２３の長さの半分以上の長さを有する。第一分割コア２０１の磁束形成部８のコイル軸方向Ｚの長さは、長い程、第二はみ出領域４２１に近付くため、第二はみ出領域４２１周囲の漏れ磁束を確保しやすくなる。第一分割コア２０１の磁束形成部８は、第一コイル３１にコイル径方向に重なる位置に形成されている。
【００９４】
第一分割コア２０１の内側に配されたプリント配線基板３のＸ２側の端部は、第一分割コア２０１の磁束形成部８よりもＸ１側に形成されている。すなわち、第一分割コア２０１の内側に配されたプリント配線基板３は、第一分割コア２０１の磁束形成部８をかわすように、第一分割コア２０１の内側に配されている。
【００９５】
図１４、図１５に示すごとく、第二コイル３２の内側に挿入された内脚部２２を備える分割コア２０である第二分割コア２０２は、第二コイル３２のＸ１側に、磁束形成部８を有する。第二分割コア２０２の磁束形成部８は、第二分割コア２０２におけるＸ１側の外脚部２３に隣接するよう形成されている。第二分割コア２０２の磁束形成部８は、第二分割コア２０２の基部２１及びＸ１側の外脚部２３の双方に連結するよう形成されている。また、縦方向Ｙにおいて、第二分割コア２０２の磁束形成部８は、第二分割コア２０２の基部２１の略全体の領域に形成されている。
【００９６】
第二分割コア２０２の磁束形成部８は、コイル軸方向Ｚにおいて、第一コイル領域４１における第二コイル領域４２よりもＸ１側に突出する第一はみ出領域４１１に重なる位置に形成されている。なお、図１５においては、第一コイル３１をコイル軸方向Ｚに投影したものの輪郭を二点鎖線で表している。
【００９７】
また、図１４に示すごとく、第二分割コア２０２の磁束形成部８のコイル軸方向Ｚの高さは、第二分割コア２０２の外脚部２３の長さの半分以上の長さを有する。第二分割コア２０２の磁束形成部８のコイル軸方向Ｚの長さは、長い程、第一はみ出領域４１１に近付くため第一はみ出領域４１１周囲の漏れ磁束を確保しやすくなる。第二分割コア２０２の磁束形成部８は、第二コイル３２にコイル径方向に重なる位置に形成されている。
【００９８】
第二分割コア２０２の内側に配されたプリント配線基板３のＸ１側の端部は、第二分割コア２０２の磁束形成部８よりもＸ２側に形成されている。すなわち、第二分割コア２０２の内側に配されたプリント配線基板３は、第二分割コア２０２の磁束形成部８をかわすように、第二分割コア２０２の内側に配されている。
その他は、実施形態１と同様である。
【００９９】
本形態において、コイル軸方向Ｚにおける一対の基部２１の間であって、横方向Ｘにおける一対の外脚部２３の間には、空気よりも透磁率が高い磁束形成部８が配されている。それゆえ、第一はみ出領域４１１の周囲に形成される漏れ磁束を、第二分割コア２０２の磁束形成部８に形成することができ、第二はみ出領域４２１の周囲に形成される漏れ磁束を、第一分割コア２０１の磁束形成部８に形成することができる。それゆえ、磁気部品１において、漏れインダクタンスを確保しやすく、リアクトルとしての機能を発揮させやすい。
【０１００】
また、第一分割コア２０１の磁束形成部８は、第一コイル３１にコイル径方向に重なる位置に配されており、第二分割コア２０２の磁束形成部８は、第二コイル３２にコイル径方向に重なる位置に配されている。つまり、磁束形成部８は、ある程度のコイル軸方向Ｚの長さを有する。それゆえ、磁束形成部８を、第一はみ出領域４１１又は第二はみ出領域４２１に近付けやすく、磁束形成部８に形成される漏れ磁束を確保しやすい。
【０１０１】
また、コア２は、基部２１、内脚部２２、外脚部２３、及び磁束形成部８を一体的に有する。それゆえ、磁束部品として部品点数の削減を図りやすい。
その他、実施形態１と同様の作用効果を有する。
【０１０２】
（実施形態６）
本形態は、図１６に示すごとく、実施形態５に対して、磁束形成部８の構成を変更した実施形態である。
【０１０３】
縦方向Ｙにおいて、磁束形成部８は、それが形成された分割コア２０の基部２１よりも内側に収まるよう形成されている。すなわち、磁束形成部８の縦方向Ｙの長さは、当該磁束形成部８が形成された分割コア２０の基部２１の縦方向Ｙの長さよりも小さい。
その他は、実施形態５と同様である。
【０１０４】
本形態においても、実施形態５と同様の作用効果を有する。
【０１０５】
（実施形態７）
本形態は、図１７に示すごとく、実施形態５に対して、磁束形成部８の構成を変更した実施形態である。
【０１０６】
磁束形成部８は、各分割コア２０において、縦方向Ｙの複数箇所に分断して形成されている。本形態において、磁束形成部８は、各分割コア２０における縦方向Ｙの２つの領域に形成されている。
その他は、実施形態５と同様である。
【０１０７】
本形態においても、実施形態５と同様の作用効果を有する。
【０１０８】
（実施形態８）
本形態は、図１８、図１９に示すごとく、実施形態５に対して、磁束形成部８の構成を変更した実施形態である。
【０１０９】
磁束形成部８は、分割コア２０の外脚部２３から横方向Ｘに離れた位置に形成されている。また、第一コイル領域４１の周方向における第一はみ出領域４１１の少なくとも一部の領域は、コイル径方向の内周端から外周端までの全領域において、磁束形成部８と対向している。同様に、第二コイル領域４２の周方向における第二はみ出領域４２１の少なくとも一部の領域は、コイル径方向の内周端から外周端までの全領域において、磁束形成部８と対向している。
その他は、実施形態５と同様である。
【０１１０】
本形態においては、磁束形成部８と、第一はみ出領域４１１又は第二はみ出領域４２１とのコイル軸方向Ｚの重なり領域を増やすことができるため、第一はみ出領域４１１の周囲及び第二はみ出領域４２１の周囲に形成される漏れ磁束を一層確保しやすい。それゆえ、磁気部品１において、漏れインダクタンスを確保しやすく、リアクトルとしての機能を発揮させやすい。
その他、実施形態５と同様の作用効果を有する。
【０１１１】
（実施形態９）
本形態は、図２０に示すごとく、実施形態５と基本構造を同様としつつ、磁束形成部８を、コア２とは別体に形成した実施形態である。
【０１１２】
磁束形成部８は、コア２と同種の材料で構成されていてもよいし、コア２とは異なる磁性体で構成されていてもよい。磁束形成部８は、コア２に対して、接合、接着等により固定されている。
その他は、実施形態５と同様である。
【０１１３】
本形態においては、磁束形成部８を有さないような一般的な既存のコア２に対して、当該コア２とは別体の磁束形成部８を配置することで、既存のコア２に磁束形成部８を形成することができる。
その他、実施形態５と同様の作用効果を有する。
【０１１４】
（実施形態１０）
本形態は、図２１、図２２に示すごとく、基本構成を実施形態９と同様としつつ、磁束形成部８の位置を変更した実施形態である。
【０１１５】
本形態においては、第一コイル３１の内周側と第二コイル３２の内周側とのそれぞれに、磁束形成部８が配置されている。
【０１１６】
第一コイル３１の内周側の磁束形成部８は、第一分割コア２０１の内脚部２２のＸ１側に隣接するよう配されている。第一コイル３１の内周側の磁束形成部８の外周部は、第一コイル３１の内周縁、及び第一分割コア２０１の内脚部２２に沿うよう形成されている。これにより、第一コイル３１の内周側の磁束形成部８のＸ１側の部位は、第一はみ出領域４１１の近傍に配される。また、図２１に示すごとく、第一コイル３１の内周側の磁束形成部８のコイル軸方向Ｚの長さは、第一分割コア２０１の内脚部２２のコイル軸方向Ｚの長さと同等である。
【０１１７】
第二コイル３２の内周側の磁束形成部８は、第二分割コア２０２の内脚部２２のＸ２側に隣接するよう配されている。第二コイル３２の内周側の磁束形成部８の外周部は、第二コイル３２の内周縁、及び第二分割コア２０２の内脚部２２に沿うよう形成されている。これにより、第二コイル３２の内周側の磁束形成部８は、第二はみ出領域４２１の近傍に配される。また、第二コイル３２の内周側の磁束形成部８のコイル軸方向Ｚの長さは、第二分割コア２０２の内脚部２２のコイル軸方向Ｚの長さと同等である。
その他は、実施形態５と同様である。
【０１１８】
本形態においては、第一はみ出領域４１１のＸ２側近傍の領域、及び第二はみ出領域４２１のＸ１側近傍の領域に、磁束形成部８を配置することができる。それゆえ、第一はみ出領域４１１の周囲及び第二はみ出領域４２１の周囲に形成される漏れ磁束を一層確保しやすい。それゆえ、磁気部品１において、漏れインダクタンスを確保しやすく、リアクトルとしての機能を発揮させやすい。
その他、実施形態５と同様の作用効果を有する。
【０１１９】
（実施形態１１）
本形態は、図２３、図２４に示すごとく、実施形態１０と基本構造を同様としつつ、磁束形成部８を、コア２と一体的に形成した実施形態である。
【０１２０】
第一分割コア２０１は、その内脚部２２からＸ１側に延設された磁束形成部８を有する。なお、前述のごとく、内脚部２２は、コイル軸方向Ｚから見たとき、第一コイル３１及び第二コイル３２の双方の内周側に配される部位である。第一分割コア２０１において、内脚部２２と磁束形成部８とにおける基部２１から反対側の面は、面一に形成されている。コイル軸方向Ｚから見たとき、第一分割コア２０１において、内脚部２２及び磁束形成部８は、第一コイル３１の内周面に沿うよう、角丸長方形状（すなわちレーストラック形状の外形形状）に形成されている。
【０１２１】
第二分割コア２０２は、第一分割コア２０１と同一の形状を有する。コイル軸方向Ｚから見たとき、第二分割コア２０２において、内脚部２２及び磁束形成部８は、第二コイル３２の内周面に沿うよう、角丸長方形状（すなわちレーストラック形状の外形形状）に形成されている。
その他は、実施形態１０と同様である。
【０１２２】
本形態においては、磁束形成部８を分割コア２０と一体的に形成しているため、磁束部品として部品点数の削減を図りやすい。
その他、実施形態１０と同様の作用効果を有する。
【０１２３】
（実施形態１２）
本形態は、図２５、図２６に示すごとく、第一コイル３１、第二コイル３２等の基本構造を実施形態２と同様としつつ、磁束形成部８を、第一コイル３１の内周側及び外周側、並びに第二コイル３２の内周側及び外周側に設けた形態である。
【０１２４】
図２６に示すごとく、各磁束形成部８は、コイル軸方向Ｚに直交する断面形状が円形となる円柱状を呈している。図２５、図２６に示すごとく、各分割コア２０は、２か所に磁束形成部８を有する。各分割コア２０において、一方の磁束形成部８は、横方向Ｘにおける各内脚部２２と一方の外脚部２３との間に形成されており、他方の磁束形成部８は、横方向Ｘにおける内脚部２２と他方の外脚部２３との間に形成されている。
【０１２５】
２つの分割コア２０において、それぞれの内脚部２２のＸ１側に形成された２つの磁束形成部８は、互いにコイル軸方向Ｚに重なる位置に形成されている。２つの分割コア２０において、それぞれの内脚部２２のＸ１側に形成された２つの磁束形成部８は、コイル軸方向Ｚから見たとき、第一コイル領域４１の突出領域４０３と、第二コイル領域４２の第二直線領域４０２との間の領域に形成されている。なお、本形態において、コイル軸方向Ｚから見たとき、第一コイル領域４１の突出領域４０３の全体は、第二コイル３２の第二直線領域４０２よりもＸ１側に位置している。
【０１２６】
２つの分割コア２０において、それぞれの内脚部２２のＸ２側に形成された２つの磁束形成部８は、互いにコイル軸方向Ｚに重なる位置に形成されている。２つの分割コア２０において、それぞれの内脚部２２のＸ２側に形成された２つの磁束形成部８は、コイル軸方向Ｚから見たとき、第二コイル領域４２の突出領域４０３と第一コイル領域４１の第二直線領域４０２との間の領域に形成されている。なお、本形態において、コイル軸方向Ｚから見たとき、第二コイル領域４２の突出領域４０３の全体は、第一コイル領域４１の第二直線領域４０２よりもＸ２側に位置している。
【０１２７】
プリント配線基板３は、磁束形成部８を挿入するための貫通穴３６を有する。当該貫通穴３６に磁束形成部８が挿入されている。そして、コア２において内脚部２２のＸ１側に形成された上下２つの磁束形成部８は、互いに基部２１と反対側の面で当接、又は近接して対向している。同様に、内脚部２２のＸ２側に形成された上下２つの磁束形成部８は、互いに基部２１と反対側の面で当接、又は、近接して対向している。
【０１２８】
その他の磁束形成部８の構成については、実施形態５と同様であり、その他の構成については、実施形態２と同様である。
【０１２９】
本形態においても、実施形態２及び実施形態５と同様の作用効果を有する。
【０１３０】
（実施形態１３）
本形態は、図２７に示すごとく、実施形態１２に対して、磁束形成部８の形成位置を変更した実施形態である。
【０１３１】
磁束形成部８は、各分割コア２０に４つ形成されている。コイル軸方向Ｚから見たとき、各分割コア２０の２つの磁束形成部８は、Ｘ１側の外脚部２３の近傍に配されており、他の２つの磁束形成部８は、Ｘ２側の外脚部２３の近傍に配されている。
【０１３２】
各分割コア２０において、Ｘ１側の２つの磁束形成部８は、第一コイル領域４１の突出領域４０３の外周側近傍に配されている。また、各分割コア２０において、Ｘ２側の２つの磁束形成部８は、第二コイル領域４２の突出領域４０３の外周側近傍に配されている。
【０１３３】
各分割コア２０において、Ｘ１側の２つの磁束形成部８は、基部２１の縦方向Ｙの両端部近傍に形成されている。また、各分割コア２０において、Ｘ２側の２つの磁束形成部８は、基部２１の縦方向Ｙの両端部近傍に形成されている。
【０１３４】
コイル軸方向Ｚから見たときの第一コイル３１の内周側及び第二コイル３２の内周側には、磁束形成部８は形成されていない。
その他は、実施形態１２と同様である。
【０１３５】
本形態においても、実施形態１２と同様の作用効果を有する。
【０１３６】
（実施形態１４）
本形態は、図２８〜図３０に示すごとく、基本構造を実施形態２と同様としつつ、磁気部品１が、第一コイル３１及び第二コイル３２に加えて第三コイル３３を備える実施形態である。
【０１３７】
図２８に示すごとく、第三コイル３３は、コイル軸方向Ｚにおける第一コイル３１と第二コイル３２との間に配されている。本形態において、第一コイル３１、第二コイル３２、及び第三コイル３３は、互いに形状が略同一で、互いにコイル周方向の姿勢が異なるよう配されている。第一コイル３１及び第二コイル３２のコイル周方向の姿勢については、実施形態２と同様である。また、第三コイル３３に関する各部の名称として、同様の構成を有する第一コイル３１及び第二コイル３２の各部の名称と同一の名称を用いる。
【０１３８】
コイル軸方向Ｚから見た状態において、コイル径方向における第三コイル３３の内周端縁から外周端縁までの領域を第三コイル領域４３とする。図３０に示すごとく、第三コイル領域４３の一対の第一直線領域４０１ｃは、縦方向Ｙに沿って形成されるとともに横方向Ｘに互いに対向するよう形成されている。第三コイル領域４３の第二直線領域４０２ｃは、一対の第一直線領域４０１ｃの縦方向Ｙの一方の端部同士を横方向Ｘにまっすぐ連結する。そして、第三コイル領域４３の突出領域４０３ｃは、一対の第一直線領域４０１ｃの縦方向Ｙの第二直線領域４０２ｃ側と反対側の端部同士を連結するとともに、第二直線領域４０２ｃ側と反対側に突出するよう形成されている。
【０１３９】
コイル軸方向Ｚから見た状態において、第三コイル３３の内周側に形成される二次元図形の重心である第三重心ｃ３が、内脚重心ｃ０よりも縦方向Ｙにおける第三コイル領域４３の突出領域４０３が位置する側に配されている。すなわち、第三コイル３３は、内脚部２２に対して縦方向Ｙの一方側に偏心している。
【０１４０】
コイル軸方向Ｚから見たとき、第一重心ｃ１、第二重心ｃ２、及び第三重心ｃ３は、互いに異なる位置に配されている。すなわち、第一コイル３１、第二コイル３２及び第三コイル３３は、互いに偏心している。また、コイル軸方向Ｚから見たとき、内脚重心ｃ０に対する、第一重心ｃ１側、第二重心ｃ２側、第三重心ｃ３側のそれぞれは、互いに異なる側である。
【０１４１】
第三コイル領域４３の第二直線領域４０２は、第一コイル領域４１の第一直線領域４０１ａ及び第二コイル領域４２の第一直線領域４０１ｂとコイル軸方向Ｚに重なる位置に配されている。第三コイル領域４３のＸ１側の第一直線領域４０１ｃは、第二コイル領域４２の第二直線領域４０２ｂとコイル軸方向Ｚに重なる位置に配されており、第三コイル領域４３のＸ２側の第一直線領域４０１ｃは、第一コイル領域４１の第二直線領域４０２ａとコイル軸方向Ｚに重なる位置に配されている。
【０１４２】
第三コイル領域４３は、コイル径方向の内周端縁から外周端縁までにかけて、第一コイル領域４１又は第二コイル領域４２とコイル軸方向Ｚに重ならない部分を有さない。すなわち、第三コイル３３は前述の特定コイルではない。しかし、第三コイル３３が特定コイルとなるよう、第三コイル３３を構成してもよい。
その他は、実施形態２と同様である。
【０１４３】
本形態においては、第三重心ｃ３が内脚重心ｃ０に対して、内脚重心ｃ０に対する第一重心ｃ１側、及び内脚重心ｃ０に対する第二重心ｃ２側の双方とは異なる側に配されている。それゆえ、第三コイル領域４３における突出領域４０３ｃの周囲にも、漏れ磁束を形成しやすい。本形態において、第三コイル領域４３は、コイル径方向の内周端縁から外周端縁までにかけて、第一コイル領域４１又は第二コイル領域４２とコイル軸方向Ｚに重ならない部分を有さないものの、第一コイル３１、第二コイル３２及び第三コイル３３を互いに偏心させることで、第三コイル３３の一部の周囲において、漏れ磁束を形成しやすくすることができる。
その他、実施形態２と同様の作用効果を有する。
【０１４４】
（実施形態１５）
本形態は、図３１に示すごとく、実施形態２と基本構成を同様にしつつ、第一コイル３１と第二コイル３２とでコイル軸方向Ｚから見たときの外形の大きさを変更した形態である。
【０１４５】
本形態においては、コイル軸方向Ｚから見たときの外形が大きい側のコイルを第一コイル３１という。コイル軸方向Ｚから見たときのコイル（すなわち第一コイル３１、第二コイル３２）の外形の大きさとは、コイル軸方向Ｚから見たときのコイルの外周縁から内側の領域の面積を意味する。
【０１４６】
本形態において、第一コイル３１は、縦方向Ｙの最長長さが第二コイル３２よりも大きい。コイル軸方向Ｚから見たとき、第一コイル３１の縦方向Ｙの両端は、第二コイル３２から縦方向Ｙの両側に突出している。
【０１４７】
本形態において、第一コイル３１に流れる電力値は、第二コイル３２に流れる電力値よりも小さい。すなわち、第一コイル３１及び第二コイル３２は、流れる電力値が小さいものほど、コイル軸方向Ｚから見たときの外形が大きい。コイルにおいて、印加される電圧はそのコイルの巻き数と相関があり、流れる電流はコイルの線幅と相関があるため、コイルに流れる電力値は、そのコイルの巻き数とコイルの線幅との積に基づいて評価することができる。
その他は、実施形態２と同様である。
【０１４８】
本形態において、第一コイル３１及び第二コイル３２は、流れる電力値が小さいものほど、コイル軸方向Ｚから見たときの外形が大きい。流れる電力値が小さいコイルは、その周囲に形成され得る漏れ磁束の量も少なくなりやすく、漏れインダクタンスを確保し難い。そこで、流れる電力値が小さいものほど、コイル軸方向Ｚから見たときの外形を大きくすることで、周囲に漏れ磁束が形成され難いコイルを、他のコイルから離しやすく、他のコイルと結合し難い部分を作りやすい。それゆえ、効果的に、各コイルの周囲に漏れ磁束を形成しやすい。
その他、実施形態２と同様の作用効果を有する。
【０１４９】
（実施形態１６）
本形態は、図３２〜図３４に示すごとく、実施形態２の構成に、内脚部２２に対して第一コイル３１が偏心する側と同じ側に偏心する第三コイル３３を追加した実施形態である。
【０１５０】
図３３、図３４に示すごとく、第一コイル３１及び第二コイル３２の構成は、実施形態２と同様であり、互いに同形状、かつ、互いにコイル周方向に１８０°回転した姿勢で配されている。
【０１５１】
第三コイル３３は、第一コイル３１及び第二コイル３２に対して、コイル軸方向Ｚから見たときの外形が大きい。第三コイル３３は、第一コイル３１と略相似形状である。第三コイル３３に関する各部の名称として、同様の構成を有する第一コイル３１及び第二コイル３２の各部の名称と同一の名称を用いる。
【０１５２】
図３２に示すごとく、第三コイル３３は、コイル軸方向Ｚにおける第一コイル３１と第二コイル３２との間に配されている。
【０１５３】
コイル軸方向Ｚから見た状態において、コイル径方向における第三コイル３３の内周端縁から外周端縁までの領域を第三コイル領域４３とする。図３４に示すごとく、第三コイル領域４３の一対の第一直線領域４０１ｃは、横方向Ｘに沿って形成されるとともに縦方向Ｙに互いに対向するよう形成されている。第三コイル領域４３の第二直線領域４０２ｃは、一対の第一直線領域４０１ｃのＸ２側の端部同士を縦方向Ｙにまっすぐ連結する。そして、第三コイル領域４３の突出領域４０３ｃは、一対の第一直線領域４０１ｃのＸ１側の端部同士を連結するとともに、Ｘ１側に突出するよう形成されている。
【０１５４】
コイル軸方向Ｚから見た状態において、第三コイル３３の内周側に形成される二次元図形の重心である第三重心ｃ３は、内脚重心ｃ０よりもＸ１側に配されている。すなわち、第三コイル３３は、内脚部２２に対してＸ１側に偏心している。すなわち、内脚重心ｃ０に対する第三重心ｃ３が位置する側は、内脚重心ｃ０に対して第一重心ｃ１が位置する側と同じ側である。
【０１５５】
コイル軸方向Ｚから見たとき、第一重心ｃ１及び第三重心ｃ３のそれぞれは、第二重心ｃ２に対してＸ１側にずれた位置に配されている。すなわち、第一コイル３１及び第三コイル３３は、第二コイル３２に対してＸ１側に偏心している。また、コイル軸方向Ｚから見たとき、内脚重心ｃ０に対する、第一重心ｃ１側及び第三重心ｃ３側は、内脚重心ｃ０に対する第二重心ｃ２側と反対側である。
【０１５６】
コイル軸方向Ｚから見たとき、第三コイル領域４３は、第一コイル領域４１及び第二コイル領域４２よりも縦方向Ｙの両側に突出するよう形成されている。また、第三コイル３３の長手方向である横方向Ｘの最長長さは、第一コイル３１及び第二コイル３２のそれぞれの長手方向（すなわち横方向Ｘ）の最長長さよりも長い。
【０１５７】
第三コイル領域４３の第二直線領域４０２ｃは、第一コイル領域４１の第二直線領域４０２ａとコイル軸方向Ｚに重なる位置に配されている。一方、第三コイル領域４３の突出領域４０３ｃは、第一コイル領域４１の突出領域４０３ａよりもＸ１側に突出している。
【０１５８】
本形態において、第三コイル３３に流れる電力値は、第一コイル３１及び第二コイル３２のそれぞれに流れる電力値よりも小さい。そして、本形態において、複数のコイルは、流れる電力値が小さいものほど、コイル軸方向Ｚから見たときの長手方向の最長長さが長い。また、本形態においても、実施形態１５と同様、複数のコイルは、流れる電力値が小さいものほど、コイル軸方向Ｚから見たときの外形が大きい。
【０１５９】
第三コイル領域４３は、コイル径方向の内周端縁から外周端縁までにかけて、第二コイル領域４２とコイル軸方向Ｚに重ならない部分を有する。すなわち、第三コイル領域４３は、特定コイル領域であり、第三コイル３３は特定コイルである。
その他は、実施形態２と同様である。
【０１６０】
本形態において、複数のコイルは、流れる電力値が小さいものほど、コイル軸方向Ｚから見たときの長手方向の最長長さが長い。流れる電力値が小さいコイルは、その周囲に形成され得る漏れ磁束の量も少なくなりやすく、漏れインダクタンスを確保し難い。そこで、流れる電力値が小さいものほど、コイル軸方向Ｚから見たときの長手方向の最長長さを長くすることで、周囲に漏れ磁束が形成され難いコイルを、他のコイルから離しやすく、他のコイルと結合し難い部分を作りやすい。それゆえ、効果的に、各コイルの周囲に漏れ磁束を形成しやすい。
【０１６１】
また、複数のコイルは、流れる電力値が小さいものほど、コイル軸方向Ｚから見たときの外形が大きいため、実施形態１５と同様、効果的に各コイルの周囲に漏れ磁束を形成しやすい。
その他、実施形態２と同様の作用効果を有する。
【０１６２】
（実施形態１７）
本形態は、図３５〜図３７に示すごとく、実施形態２の構成に、略円形の第三コイル３３を追加した実施形態である。図３６に示すごとく、第一コイル３１及び第二コイル３２の構成は、実施形態２と同様であり、互いに同形状、かつ、互いにコイル周方向に１８０°回転した姿勢で配されている。
【０１６３】
第三コイル３３は、同心コイルである。同心コイルは、コイル軸方向Ｚから見た状態において、その内周側に形成される二次元図形の重心が、内脚重心ｃ０と同じ位置に配されるコイルである。すなわち、コイル軸方向Ｚから見た状態において、第三コイル３３の内周側に形成される二次元図形の重心である第三重心ｃ３は、内脚重心ｃ０と略同じ位置に形成されている。
【０１６４】
図３５に示すごとく、第三コイル３３は、コイル軸方向Ｚにおける第一コイル３１と第二コイル３２との間に配されている。コイル軸方向Ｚから見た状態において、コイル径方向における第三コイル３３の内周端縁から外周端縁までの領域を第三コイル領域４３とする。図３７に示すごとく、第三コイル領域４３は、円環状に形成されている。コイル軸方向Ｚから見たとき、第三コイル領域４３は、第一コイル領域４１及び第二コイル領域４２から縦方向Ｙの両側に突出している。
【０１６５】
また、コイル軸方向Ｚから見たとき、第三コイル３３の長手方向の最長長さは、第一コイル３１及び第二コイル３２のそれぞれの長手方向の最長長さよりも長い。すなわち、第三コイル３３の直径は、第一コイル３１及び第二コイル３２のそれぞれの横方向Ｘの最長長さよりも長い。
【０１６６】
本形態において、第三コイル３３に流れる電力値は、第一コイル３１及び第二コイル３２のそれぞれに流れる電力値よりも小さい。そして、本形態において、複数のコイルは、流れる電力値が小さいものほど、コイル軸方向Ｚから見たときの長手方向の最長長さが長い。
その他は、実施形態２と同様である。
【０１６７】
本形態において、同心コイルとしての第三コイル３３は、その長手方向の長さ、すなわち径方向の最長長さが、特定コイルとしての第一コイル３１及び第二コイル３２のそれぞれの長手方向の長さ、すなわち横方向Ｘの最長長さよりも長い。このように、同心コイルのサイズを大きくすることで、同心コイルの少なくとも一部分を、他のコイルとコイル軸方向Ｚに重ならない位置に配しやすく、当該一部分周囲において漏れ磁束を稼ぐことができる。
【０１６８】
また、複数のコイルは、流れる電力値が小さいものほど、コイル軸方向Ｚから見たときの長手方向の最長長さが長い。そのため、実施形態１６と同様、効果的に各コイルの周囲に漏れ磁束を形成しやすい。
その他、実施形態２と同様の作用効果を有する。
【０１６９】
（実施形態１８）
本形態は、図３８〜図４０に示すごとく、互いに磁気結合された４つのコイルを有する実施形態である。４つのコイルは、コイル軸方向Ｚの一方側から順に、第一コイル３１、第二コイル３２、第三コイル３３、第四コイル３４とする。
【０１７０】
図３８に示すごとく、第一コイル３１は、３つの導体層に形成されている。また、図３９に示すごとく、第一コイル３１は、各導体層において４重の渦巻状に形成されている。コイル軸方向Ｚから見た状態において、コイル径方向における第一コイル３１の内周端縁から外周端縁までの領域を第一コイル領域４１とする。このとき、図４０に示すごとく、第一コイル領域４１は、円環状に形成されている。
【０１７１】
コイル軸方向Ｚから見た状態において、第一コイル３１の内周側に形成される、コイル軸方向Ｚに直交する面方向の各部の単位面積当たりの質量が同一の二次元図形の重心を第一重心ｃ１とする。このとき、第一コイル３１は、コイル軸方向Ｚから見たとき、第一重心ｃ１が、内脚重心ｃ０と同じ位置に配される同心コイルである。
【０１７２】
図３８に示すごとく、第二コイル３２は、３つの導体層に形成されている。また、図３９に示すごとく、第二コイル３２は、各導体層において３重の渦巻状に形成されている。コイル軸方向Ｚから見た状態において、コイル径方向における第二コイル３２の内周端縁から外周端縁までの領域を第二コイル領域４２とする。このとき、図４０に示すごとく、第二コイル領域４２は、横方向Ｘに長尺な長方形環状に形成されている。
【０１７３】
コイル軸方向Ｚから見た状態において、第二コイル３２の内周側に形成される、コイル軸方向Ｚに直交する面方向の各部の単位面積当たりの質量が同一の二次元図形の重心を第二重心ｃ２とする。このとき、第二重心ｃ２は、コイル軸方向Ｚから見たとき内脚重心ｃ０よりも横方向Ｘの一方側であるＸ３側に配されている。つまり、第二コイル３２は、内脚部２２に対してＸ３側に偏心して配されている。また、第二重心ｃ２は、第一重心ｃ１に対するＸ３側に配されている。
【０１７４】
図３８に示すごとく、第三コイル３３は、３つの導体層に形成されている。また、図３９に示すごとく、第三コイル３３は、各導体層において２重の渦巻状に形成されている。コイル軸方向Ｚから見た状態において、コイル径方向における第三コイル３３の内周端縁から外周端縁までの領域を第三コイル領域４３とする。このとき、図４０に示すごとく、第三コイル領域４３は、横方向Ｘに長尺な長方形環状に形成されている。
【０１７５】
コイル軸方向Ｚから見た状態において、第三コイル３３の内周側に形成される、コイル軸方向Ｚに直交する面方向の各部の単位面積当たりの質量が同一の二次元図形の重心を第三重心ｃ３とする。このとき、第三重心ｃ３は、コイル軸方向Ｚから見たとき内脚重心ｃ０よりも横方向ＸのＸ３側と反対側であるＸ４側に配されている。つまり、第三コイル３３は、内脚部２２に対して第一コイル３１が偏心する側（すなわちＸ３側）と反対側（すなわちＸ４側）に偏心して配されている。
【０１７６】
図３８に示すごとく、第四コイル３４は、１つの導体層に形成されている。また、図３９に示すごとく、第四コイル３４は、当該導体層において横方向Ｘに長尺な長方形に巻回されている。図３９及び図４０に示すごとく、コイル軸方向Ｚから見た状態において、コイル径方向における第四コイル３４の内周端縁から外周端縁までの領域の第四コイル領域４４は、第四コイル３４の形成領域と等しい。
【０１７７】
コイル軸方向Ｚから見た状態において、第四コイル３４の内周側に形成される、コイル軸方向Ｚに直交する面方向の各部の単位面積当たりの質量が同一の二次元図形の重心を第四重心ｃ４とする。このとき、第四コイル３４は、コイル軸方向Ｚから見たとき、第四重心ｃ４が、内脚重心ｃ０と同じ位置に配される同心コイルである。
【０１７８】
コイル軸方向Ｚから見たとき、同心コイルである第四コイル３４は、その長手方向の長さ（すなわち外径）が、第一コイル３１及び第二コイル３２のそれぞれの長手方向（すなわち横方向Ｘ）の長さよりも長い。
【０１７９】
コイル軸方向Ｚから見たとき、同心コイルである第四コイル３４は、他の同心コイルである第一コイル３１よりも外形が大きい。また、第四コイル３４の外径は、第一コイル３１の外径よりも大きい。第四コイル３４は、流れる電力値が、第一コイル３１よりも小さい。
【０１８０】
第一コイル領域４１、第二コイル領域４２、第三コイル領域４３、第四コイル領域４４のそれぞれは、コイル径方向の内周端縁から外周端縁までにかけて、他のコイル領域に重ならない部位を有する。すなわち、第一コイル領域４１、第二コイル領域４２、第三コイル領域４３、第四コイル領域４４のそれぞれは、特定コイル領域であり、第一コイル３１、第二コイル３２、第三コイル３３、第四コイル３４のそれぞれは特定コイルである。
その他は、実施形態１と同様である。
【０１８１】
本形態のように、複数のコイルのうち、一部のコイルを内脚部２２に対して偏心して配置し、他のコイルを内脚部２２に対して偏心させずに配置した場合においても、漏れ磁束を確保しやすい。特に本形態において、第四コイル３４は、内脚部２２に対して偏心して配された第二コイル３２及び第三コイル３３のそれぞれの長手方向の最長長さよりも長い外径を有する。このように、同心コイルのサイズを大きくすることで、同心コイルの少なくとも一部分を、他のコイルとコイル軸方向Ｚに重ならない位置に配しやすく、当該一部分周囲において漏れ磁束を稼ぐことができる。
【０１８２】
また、複数の同心コイルは、消費電力が小さいものほど、コイル軸方向Ｚから見たときの長手方向の最長長さが長い。流れる電力値が小さいコイルは、その周囲に形成され得る漏れ磁束の量も少なくなりやすく、漏れインダクタンスを確保し難い。そこで、流れる電力値が小さい同心コイルほど、コイル軸方向Ｚから見たときの長手方向の最長長さを長くすることで、周囲に漏れ磁束が形成され難い同心コイルを、他のコイルから離しやすく、他のコイルと結合し難い部分を作りやすい。それゆえ、効果的に、各コイルの周囲に漏れ磁束を形成しやすい。
その他、実施形態１と同様の作用効果を有する。
【０１８３】
本発明は、前記各実施形態に限定されるものではなく、その要旨を逸脱しない範囲において種々の実施形態に適用することが可能である。
【０１８４】
例えば、内脚部２２は、基部２１から延設され、コイル軸方向Ｚから見たときに複数のコイルの内周側に配されていればよいため、例えば図４１に示すごとく、内脚部２２を基部２１から延設された複数の円柱部によって構成してもよい。
【０１８５】
また、例えば、複数のコイルは、互いに偏心しておらず、かつ、内脚部に対しても偏心していなくてもよい。この場合、複数のコイルは、互いに内径及び外径が異なれば、特定コイルとなり得る。
【０１８６】
また、実施形態１において、磁気部品１は、電圧部としての交流電源とバッテリとの間に配したが、これに限られず、その他の種々の電源や負荷等を採用することが可能である。例えば、種々の電圧のバッテリ、太陽光電源、ヒータ等の負荷が考えられる。
【０１８７】
バッテリとしては、２００Ｖ以上で、車両を駆動するためのものや、７Ｖ、１２Ｖ、４８Ｖ等で、車両の補機用のバッテリ等が考えられる。
【０１８８】
太陽光電源は、バッテリに車両の外部から電力供給するための電源供給部の一種である。例えば車両の天井等に配置された太陽光パネルを含む太陽光発電機とすることができる。太陽光電源は、ＭＰＰＴ（最大電力点追従機能）を備えた太陽光発電装置とすることができる。また、太陽光電源は、ＰＷＭ（パルス幅変調）制御機能を備えた太陽光発電装置とすることもできる。
【０１８９】
なお、太陽光電源は、時間帯や天候等、使用可能な条件が限られていることから、かかる電源は、他の電源等と併用することが多い。それゆえ、太陽光電源を、１つの磁気部品１を介して他の複数の電圧部と接続可能とすることで、車両電源システム等、システム全体として、部品点数や体格の低減を図ることができる。
【０１９０】
ヒータとしては、ハイブリッド自動車等における排気系に設けた電気加熱式触媒を加熱するためのヒータがある。また、ヒータとしては、座席等を暖めるためのヒータや、高圧バッテリ等の電池を加温するためのヒータ等がある。或いは、ヒータとして、水加熱ヒータと呼ばれる高電圧電池の冷却水を温めるものを採用してもよい。
【０１９１】
負荷としては、ヒータ以外にも、例えば、アクティブボディーコントロール（例えば、エアサスなど）、電気式スーパーチャージャー、エンジンクーリングファン、エアコンコンプレッサー等を採用することができる。また、負荷の電圧は、バッテリの電圧よりも高いものとすることも可能である。
【符号の説明】
【０１９２】
１  磁気部品
２  コア
３１  第一コイル
３２  第二コイル
４１  第一コイル領域
４２  第二コイル領域
Ｚ  コイル軸方向
【図１】
2020194817.tif 000003
【図２】
2020194817.tif 000004
【図３】
2020194817.tif 000005
【図４】
2020194817.tif 000006
【図５】
2020194817.tif 000007
【図６】
2020194817.tif 000008
【図７】
2020194817.tif 000009
【図８】
2020194817.tif 000010
【図９】
2020194817.tif 000011
【図１０】
2020194817.tif 000012
【図１１】
2020194817.tif 000013
【図１２】
2020194817.tif 000014
【図１３】
2020194817.tif 000015
【図１４】
2020194817.tif 000016
【図１５】
2020194817.tif 000017
【図１６】
2020194817.tif 000018
【図１７】
2020194817.tif 000019
【図１８】
2020194817.tif 000020
【図１９】
2020194817.tif 000021
【図２０】
2020194817.tif 000022
【図２１】
2020194817.tif 000023
【図２２】
2020194817.tif 000024
【図２３】
2020194817.tif 000025
【図２４】
2020194817.tif 000026
【図２５】
2020194817.tif 000027
【図２６】
2020194817.tif 000028
【図２７】
2020194817.tif 000029
【図２８】
2020194817.tif 000030
【図２９】
2020194817.tif 000031
【図３０】
2020194817.tif 000032
【図３１】
2020194817.tif 000033
【図３２】
2020194817.tif 000034
【図３３】
2020194817.tif 000035
【図３４】
2020194817.tif 000036
【図３５】
2020194817.tif 000037
【図３６】
2020194817.tif 000038
【図３７】
2020194817.tif 000039
【図３８】
2020194817.tif 000040
【図３９】
2020194817.tif 000041
【図４０】
2020194817.tif 000042
【図４１】
2020194817.tif 000043
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
互いに磁気結合された複数のコイル（３１、３２、３３、３４）と、
閉磁路を形成するコア（２）と、を備え、
複数の前記コイルのそれぞれの内周側の領域は、少なくとも一部同士が互いにコイル軸方向（Ｚ）に重なるよう配されており、
コイル軸方向から見た状態において、複数の前記コイルの少なくとも１つである特定コイルのコイル径方向における内周端縁から外周端縁までの領域を特定コイル領域としたとき、前記特定コイル領域は、コイル径方向の内周端縁から外周端縁までにかけて、当該特定コイル領域を構成する前記特定コイル以外の少なくとも１つの前記コイルとコイル軸方向に重ならない部分を有する、磁気部品（１）。
【請求項２】
コイル軸方向から見た状態において、前記特定コイルの内周側に形成される、コイル軸方向に直交する面方向の各部の単位面積当たりの質量が同一の二次元図形の重心である特定重心と、当該特定コイル以外の少なくとも１つの前記コイルの内周側に形成される、コイル軸方向に直交する面方向の各部の単位面積当たりの質量が同一の二次元図形の重心とは、互いにずれた位置に配されている、請求項１に記載の磁気部品。
【請求項３】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）とを有し、
コイル軸方向から見た状態において、前記特定重心は、前記内脚部の存在領域に形成される、コイル軸方向に直交する面方向の各部の単位面積当たりの質量が同一の二次元図形の重心である内脚重心（ｃ０）に対して前記横方向の一方側に配されている、請求項２に記載の磁気部品。
【請求項４】
前記コアは、コイル軸方向に対向する一対の基部（２１）と、前記基部から延設されるとともにコイル軸方向から見たときに複数の前記コイルの内周側に配される内脚部（２２）と、を有し、
コイル軸方向から見た状態において、前記特定コイルは、
前記特定重心と、前記内脚部の存在領域に形成される、コイル軸方向に直交する面方向の各部の単位面積当たりの質量が同一の二次元図形の重心である内脚重心（ｃ０）との最短距離を偏心量ｒ［ｍｍ］とし、
その内周端縁と、前記特定重心及び前記内脚重心の双方を通る仮想直線（ＶＬ）との交点間の最短距離をＤ１［ｍｍ］とし、
前記内脚部の外周端縁と前記仮想直線との交点間の最短距離をＤ２［ｍｍ］とし、
（Ｄ１−Ｄ２）／２を可動長さＬと定義したとき、
前記可動長さＬに対する前記偏心量ｒの比率ｒ／Ｌは、ｒ／Ｌ≧０．２５、の関係を満たす、請求項２又は３に記載の磁気部品。
【請求項５】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）とを有し、
コイル軸方向から見た状態において、前記特定コイルの内周端縁は、前記特定重心と前記内脚部の存在領域に形成される、コイル軸方向に直交する面方向の各部の単位面積当たりの質量が同一の二次元図形の重心である内脚重心（ｃ０）との並び方向に形成されるとともに前記並び方向の直交方向に互いに対向する一対の第一直線縁（３ａ）と、一対の前記第一直線縁における、前記特定重心に対する前記内脚重心側である反偏心側の端部同士を前記直交方向に連結する第二直線縁（３ｂ）と、一対の前記第一直線縁における、前記並び方向における前記反偏心側の反対側である偏心側の端部同士を連結するとともに、前記偏心側に突出する突出縁（３ｃ）と、を有する請求項２〜４のいずれか一項に記載の磁気部品。
【請求項６】
複数の前記コイルは、流れる電力値が小さいものほど、コイル軸方向から見たときの長手方向の最長長さが長い、請求項１〜５のいずれか一項に記載の磁気部品。
【請求項７】
複数の前記コイルは、流れる電力値が小さいものほど、コイル軸方向から見たときの外形が大きい、請求項１〜６のいずれか一項に記載の磁気部品。
【請求項８】
複数の前記コイルは、同心コイルを備え、
前記コアは、コイル軸方向に対向する一対の基部（２１）と、前記基部から延設されるとともにコイル軸方向から見たときに複数の前記コイルの内周側に配される内脚部（２２）と、を有し、
コイル軸方向から見た状態において、前記同心コイルの内周側に形成される、コイル軸方向に直交する面方向の各部の単位面積当たりの質量が同一の二次元図形の重心は、前記内脚部の存在領域に形成される、コイル軸方向に直交する面方向の各部の単位面積当たりの質量が同一の二次元図形の重心である内脚重心（ｃ０）と同じ位置に配されており、
コイル軸方向から見た状態において、少なくとも１つの前記同心コイルは、その長手方向の長さが、前記特定コイルの長手方向の長さよりも長い、請求項１〜７のいずれか一項に記載の磁気部品。
【請求項９】
複数の前記同心コイルを備え、複数の前記同心コイルは、消費電力が小さいものほど、コイル軸方向から見たときの長手方向の最長長さが長い、請求項８に記載の磁気部品。
【請求項１０】
前記コアは、コイル軸方向に対向する一対の基部（２１）と、前記基部から延設されるとともにコイル軸方向から見たときに複数の前記コイルの内周側に配される内脚部（２２）と、前記基部から延設されるとともにコイル軸方向に直交する横方向（Ｘ）における複数の前記コイルの両外側に配された一対の外脚部（２３）と、を備え、
コイル軸方向における一対の前記基部の間であって、前記横方向における一対の前記外脚部の間には、空気よりも透磁率が高い磁束形成部（８）が配されている、請求項１〜９のいずれか一項に記載の磁気部品。
【請求項１１】
前記磁束形成部は、少なくとも１つの前記コイルにコイル径方向に重なる位置に配されている、請求項１０に記載の磁気部品。
【請求項１２】
請求項１〜１１のいずれか一項に記載の磁気部品を備える電力変換装置（５）であって、
複数の電圧部（６、７）と、
複数の前記電圧部にそれぞれ接続される複数の電力変換用回路部と、
複数の前記電力変換用回路部にそれぞれ接続される複数の前記コイルを有する前記磁気部品と、を備える電力変換装置。
【手続補正３】
【補正対象書類名】明細書
【補正対象項目名】０００２
【補正方法】変更
【補正の内容】
【０００２】
本発明は、磁気部品及びこれを備えた電力変換装置に関する。
【手続補正４】
【補正対象書類名】明細書
【補正対象項目名】０００５
【補正方法】変更
【補正の内容】
【０００５】
本発明は、かかる課題に鑑みてなされたものであり、トランスとリアクトルとの両機能を同時に実現できる磁気部品及びこれを備えた電力変換装置を提供しようとするものである。
【手続補正５】
【補正対象書類名】明細書
【補正対象項目名】０００６
【補正方法】変更
【補正の内容】
【０００６】
本発明の一態様は、互いに磁気結合された複数のコイル（３１、３２、３３、３４）と、
閉磁路を形成するコア（２）と、を備え、
複数の前記コイルのそれぞれの内周側の領域は、少なくとも一部同士が互いにコイル軸方向（Ｚ）に重なるよう配されており、
コイル軸方向から見た状態において、複数の前記コイルの少なくとも１つである特定コイルのコイル径方向における内周端縁から外周端縁までの領域を特定コイル領域としたとき、前記特定コイル領域は、コイル径方向の内周端縁から外周端縁までにかけて、当該特定コイル領域を構成する前記特定コイル以外の少なくとも１つの前記コイルとコイル軸方向に重ならない部分を有する、磁気部品（１）にある。
本発明の他の態様は、前記磁気部品を備える電力変換装置（５）であって、
複数の電圧部（６、７）と、
複数の前記電圧部にそれぞれ接続される複数の電力変換用回路部と、
複数の前記電力変換用回路部にそれぞれ接続される複数の前記コイルを有する前記磁気部品と、を備える電力変換装置にある。